(57)【要約】【課題】受信機のメモリに登録された固有コードを有する送信機から送信された信号に基づいてシャッターカーテンの開閉制御を行うように構成されている電動シャッターにおいて、送信機の固有コードを受信機のメモリに簡単かつ確実に登録できるように構成する。【解決手段】送信機７Ｂにおいて、停止用操作スイッチＰＢＳを押下した状態で、電池ボックス７ａに電池を投入することにより、前記送信機７Ｂに割り当てられた自己の固有コードＩＤＢを含む信号を登録信号として送信し、これを受信した受信機８はメモリ８ｂに該登録コードＩＤＢを登録することで、これ以降、前記送信機７Ｂを用いてのシャッターカーテン１の開閉駆動制御を行うことができるようにした。【選択図】図４
2014088692.tif 000002
【特許請求の範囲】
【請求項１】
送信機から送信される制御信号に、受信機に既登録されている固有コードが含まれていることに基づいてシャッターカーテンの開閉制御を行うように構成されると共に、
前記送信機は、シャッターカーテンの開閉制御信号を送信する複数の操作スイッチと、電池を挿入するための電池ボックスとを備えている建築用電動シャッター装置において、
前記受信機を、送信機からの登録信号を受信した場合に、該送信機に割り当てられた固有コードをメモリに登録するように構成するにあたり、
前記送信機は、複数のスイッチのうちの予め設定されたスイッチを操作した状態で、電池ボックスに電池を挿入することにより、前記割り当てられた固有コードを含む登録信号を送信するものであることを特徴とする建築用電動シャッター装置。
【請求項２】
受信機は、該受信機に固有コードが既登録されている送信機の予め設定されたスイッチを操作した状態で、電池ボックスに電池を挿入することにより送信される信号を受信することで固有コードを登録するための登録モードに切換えるように設定されていることを特徴とする請求項１記載の建築用電動シャッター装置。
【請求項３】
受信機は、電源を再投入することで仮登録モードとなり、該仮登録モード状態から前記登録モードに切換わるように設定されていることを特徴とする請求項２記載の建築用電動シャッター装置。
【発明の詳細な説明】
【技術分野】
【０００１】
本発明は、建物の開口部に取り付けられ、送信機から送信される遠隔操作信号によって開閉作動制御される建築用電動シャッター装置の技術分野に関するものである。
【背景技術】
【０００２】
一般に、この種の建築用電動シャッター装置のなかには、シャッターカーテンの開閉停止作動を送信機（リモートコントローラ、リモコン）から送信される操作信号をシャッター装置側に備えられる受信機で受信することでシャッターカーテンの前記作動制御をするようにしたものがある。そしてこの場合、特にセキュリティ上の観点から、予め受信機側に、対応する送信機を登録しておき、該登録されている送信機からの操作信号のみによってシャッターカーテンの作動制御を行うようにしておくことが要求される。そしてこの場合、受信機側においては、送信機から送信される信号がシャッターカーテンの開放、閉鎖、停止を指示するための信号であるのか、送信機の固有コードを登録するための信号であるのかを判別させる必要がある。
【０００３】
そこで、受信機にモード切換えスイッチを備え、該モード切換えスイッチによってシャッターカーテンの開閉作動をさせる通常制御モードと送信機のコード登録をする固有コード登録モードとのモード切換えをするようにしたものが知られている（例えば、特許文献１参照）。このものは、受信機のモード切換えスイッチが固有コード登録モードになっている状態で、送信機の停止ボタンを押し操作することで固有コードを仮登録し、次にもう一度停止ボタンを押し操作したときに同じ固有コードである場合、本登録するようにしている。
また、通常動作モードと登録モードとの制御モード切換えの方法として、送信機からシャッター停止ボタンを所定時間以上長押しした場合に、制御モードを固有コード登録モードに切換えるようにしたものが知られている（例えば、特許文献２参照）。
【先行技術文献】
【特許文献】
【０００４】
【特許文献１】特許第３６０３１５６号公報
【特許文献２】特開平５−１４１１６３号公報
【発明の概要】
【発明が解決しようとする課題】
【０００５】
ところで前記特許文献１のものは、モードを切換えるためのモード切換えスイッチが受信機に設けられているため、送信機を追加登録したい場合に、ユーザ自身、受信機が設けられている位置を把握していることが少なく、また把握していたとしても受信機のどこにモード切換えスイッチがあるのか定かでない場合があってユーザ自らが登録作業することが面倒かつ煩雑で、利便性に劣るといった問題がある。
これに対し、前記特許文献２のものは、送信機側でモードを切換えることができるものの、送信されてきた信号の押し時間（長押しか否か）によってモード切換えであるか否かを受信機側で判断しているため、固有コードの登録しようとして長押ししているのに長押し時間が僅かに足りなかった場合、固有コード登録モードに切換わらず、該送信された信号に基づいて開閉機が駆動してシャッターカーテンが意図しない作動をしてしまうという惧れがあり、また逆に、シャッターカーテンの通常の開閉作動をしようとしているのに、つい長押しをしてしまうことで固有コード登録モードに切換わってシャッターカーテンの開閉作動がなされないこととなって故障を疑う惧れがあるといった問題がある。
【課題を解決するための手段】
【０００６】
本発明は、上記の如き実情に鑑みこれらの課題を解決することを目的として創作されたものであって、請求項１の発明は、送信機から送信される制御信号に、受信機に既登録されている固有コードが含まれていることに基づいてシャッターカーテンの開閉制御を行うように構成されると共に、前記送信機は、シャッターカーテンの開閉制御信号を送信する複数の操作スイッチと、電池を挿入するための電池ボックスとを備えている建築用電動シャッター装置において、前記受信機を、送信機からの登録信号を受信した場合に、該送信機に割り当てられた固有コードをメモリに登録するように構成するにあたり、前記送信機は、複数のスイッチのうちの予め設定されたスイッチを操作した状態で、電池ボックスに電池を挿入することにより、前記割り当てられた固有コードを含む登録信号を送信するものであることを特徴とする建築用電動シャッター装置である。
請求項２の発明は、受信機は、該受信機に固有コードが既登録されている送信機の予め設定されたスイッチを操作した状態で、電池ボックスに電池を挿入することにより送信される信号を受信することで固有コードを登録するための登録モードに切換えるように設定されていることを特徴とする請求項１記載の建築用電動シャッター装置である。
請求項３の発明は、受信機は、電源を再投入することで仮登録モードとなり、該仮登録モード状態から前記登録モードに切換わるように設定されていることを特徴とする請求項２記載の建築用電動シャッター装置である。
【発明の効果】
【０００７】
請求項１の発明とすることにより、確実かつ簡単な操作で送信機の固有コードを受信機側のメモリに登録することができる。
請求項２の発明とすることにより、送信機の登録時やシャッターカーテンの駆動制御時に、シャッターカーテンが意図しない駆動をしてしまうのを防ぐだけでなく、受信機を登録モードに移行する際に登録済みの送信機を用いることでセキュリティ性の高いものとできる。
請求項３の発明とすることにより、送信機の誤操作やシャッターカーテンの誤作動を確実に防止することができる。
【図面の簡単な説明】
【０００８】
【図１】建築用電動シャッター装置の正面図である。
【図２】建築用電動シャッター装置の概略構成を示すブロック図である。
【図３】送信機のスイッチ操作に基づく送信機、受信機、開閉機の制御を示すフローチャートである。
【図４】送信機を受信機側に登録する手順を示すフローチャートである。
【発明を実施するための形態】
【０００９】
以下、本発明の第一の実施の形態について、図面に基づいて説明する。
図面において、１は建築物の開口部に設けられる建築用電動シャッター装置のシャッターカーテンであって、該シャッターカーテン１は、電動式の開閉機２の正逆駆動による巻取り軸３の回転作動に基づき巻き取られ、巻き出されることで、開口部の開閉作動をするようになっていること等の基本構成は何れも従来通りである。
【００１０】
さらに、開閉機２には、開閉駆動制御をする駆動制御部４、モータ５、減速機６が備えられている。そして、遠隔操作用の送信機（リモートコントローラ）７から送信された送信信号（制御信号）を受信機８で受信し、該受信機８が受信した制御信号に含まれる作動コード（シャッターカーテン１の開放、閉鎖、停止のコード）に基づいた作動指令信号（シャッターカーテン１の開放、閉鎖、停止の信号）を駆動制御部４へ入力することで、モータ５の駆動制御をするように構成されている。
因みに、本実施の形態のものでは、バッテリ９からの電力を、受信機８で受け、さらに受信機８から開閉機２に流すようになっており、該バッテリ９は、太陽電池１０で発生した電力により充電される構成になった省エネルギー型のものであるが、商業電源によって駆動するものでも勿論よい。尚、１１はバッテリ９と受信機８との間に設けられた電源投入用の電源スイッチ（コネクタ）であり、該電源スイッチ１１は、ユーザが操作することができる位置に設けられている。
また、本実施の形態のものは、前記駆動制御部４においてシャッターカーテン１の位置、ストローク等の情報を記憶しておく構成となっている。
【００１１】
前記送信機７は、開放用操作スイッチＰＢＵ、閉鎖用操作スイッチＰＢＤ、停止用操作スイッチＰＢＳの各スイッチを備えたものであって、電池（乾電池、充電電池等）を該送信機７の電源として電池ボックス７ａ内に投入して用いるものである点等の基本構成は従来通りであるため、詳細な説明を省略する。
さらに、送信機７には制御部（マイコン）７ｂ、送信部７ｃが備えられており、該制御部７ｂにおいて押下された任意のスイッチＰＢＵ、ＰＢＤ、ＰＢＳに基づいて受信機８に送信する送信信号を作成し、該送信信号を送信部７ｃを介して受信機８（受信部８ｃ）に向けて送信するように設定されている。
また、送信機７は、自他を識別するための固有コードＩＤを所有しているが、該固有コードＩＤは、他の送信機とは重複しない一意（排他的）のものとして各送信機に割り当てられている。
【００１２】
さらに、受信機８は、後述する登録スイッチ８ａと、送信機の固有コードＩＤを登録するための不揮発性のメモリ８ｂと、送信機７からの送信信号を受信する受信部８ｃと、該受信部８ｃから受けた送信信号に基づいて開閉機２の駆動制御部４へ作動指令信号を入力したり、受信機８のモードの切換えやメモリ８ｂの更新等をする制御部（マイコン）８ｄとを備えたものとして構成されている。
【００１３】
図３のフローチャートに示すように、送信機７の電池ボックス７ａに電池を投入する際に（ＳＴＥＰ１０１）、停止用操作スイッチＰＢＳを押下した状態で再度電池を電池ボックス７ａに投入した場合には（ＳＴＥＰ１０２）、これを受けた制御部７ｂは、電源投入時に停止用操作スイッチＰＢＳが押下されていることからシャッターカーテン１の開放、閉鎖、停止作動をさせるための通常の操作ではなく、後述する受信機８のモード切換えやメモリ８ｂへの登録のための操作であると判断し、自己の固有コードＩＤと後述するモード切換えやメモリ８ｂへの登録のためのモードコードとを送信信号として送信部７ｃから受信機８側（受信部８ｃ）へ送信するように構成されている（ＳＴＥＰ１０３）。そして受信機８は自己のモード及び受信した前記送信信号に基づき、後述する登録モードへの切換えやメモリ８ｂへの固有コードＩＤの登録を行う（ＳＴＥＰ１０４）。
【００１４】
一方、停止用操作スイッチＰＢＳの押下した状態でなく、単純に電池を電池ボックス７ａに投入しただけの場合（例えば、送信機７の電池交換の場合）には、受信機８の通常モードにおいて（ＳＴＥＰ１０５）、前記送信機７の任意のスイッチが単純押下（例えば、０．２秒以上、２秒以下）されると（ＳＴＥＰ１０６）、これを受けた制御部７ｂは、通常のシャッターカーテン１の開放、閉鎖、停止作動のための操作であると判断し、自己の固有コードＩＤと、押下されたスイッチに基づいてシャッターカーテン１を開放、閉鎖、停止作動させるための開放、閉鎖、停止の何れかの作動コードとを含んだものを送信信号（制御信号）として送信部７ｃから受信機８側（受信部８ｃ）へ送信するように構成されている（ＳＴＥＰ１０７）。
その後、送信機７からの制御信号を受信した受信機８の制御部８ｄは、まず、該制御信号に含まれる固有コードＩＤがメモリ８ｂに登録されているか否かを確認し（ＳＴＥＰ１０８）、登録されている固有コードＩＤであった場合には、シャッターカーテン１を作動させるべく該制御信号に含まれる作動コード（開放、閉鎖、停止の何れかのコード）に対応した作動指令信号を開閉機２の駆動制御部４へ入力する（ＳＴＥＰ１０９）。該駆動制御部４はこれに基づいて開閉機２を駆動してシャッターカーテン１の開閉停止作動をさせる（ＳＴＥＰ１１０）。なお、前記送信信号の固有コードがメモリ８ｂに登録されていない固有コードであった場合には、駆動制御部４へ信号を送ることなく、該作動コードを無効にすることで、シャッターカーテン１が作動しないように設定されている。
【００１５】
そして、送信機７を用いて建築用電動シャッター装置の駆動を制御するためには、セキュリティ上の問題等から、予め駆動を許可する送信機７の固有コードＩＤを受信機８側に登録しておく必要があるが、ここでは、受信機８のメモリ８ｂには、固有の送信機７Ａの固有コードＩＤＡが一つだけ登録されているものとし、以下に、未登録の送信機７Ｂ（固有コードＩＤＢ）を受信機８側に新たに登録（追加登録）する手順について図４のフローチャートをもとに説明する。
まず、前記電源スイッチ１１を一旦ＯＮからＯＦＦし、しかる後、再びＯＮに切換えることで受信機８の電源を再投入すると（ＳＴＥＰ１）、受信機８は、所定時間（例えば、電源投入から６０秒間）のあいだ仮登録モードとなる（ＳＴＥＰ２）。このとき本実施の形態のものは、既にメモリ８ｂに登録されている送信機７の数を報知することで、ユーザがこれを認識できるように構成されているが、例えば、報知手段としてメモリ８ｂに登録されている送信機の数だけブザー音が鳴動するように構成した場合、ここでは、ブザー音が一回だけ鳴動して送信機７Ａが一台分だけ登録されていることが報知される。なお、報知手段としては、ブザー音の鳴動以外に例えばＬＥＤ等の光源による点滅、ブザー音と光源の組み合わせ等を用いてもよい。
【００１６】
一方、前記仮登録モードの状態で、登録済みの送信機７Ａから電池９を一旦取り外し、停止用操作スイッチＰＢＳを押下（長押し）した状態で、該電池９を再投入することで、送信機７Ａは自身が保有する固有コードＩＤＡとモードコードとを含んだ信号を送信信号（モード切換え信号）として受信機８側へ送信（コネクト送信）する（ＳＴＥＰ３）。すると、受信機８は、受信した前記モード切換え信号に含まれる固有コードＩＤの判別をし、メモリ８ｂに登録済みの該固有コードＩＤＡであることが確認できた場合には、前記仮登録モードから登録モードへ移行する（ＳＴＥＰ４）。一方、登録されていない固有コードＩＤＸであった場合には該送信信号を無効にするように構成されている。なお、本実施の形態では、登録モードへ移行したことをブザー音等の報知手段で報知するように構成されている。
さらに、本実施の形態では、前記コネクト送信の際は、送信機からの送信出力を低減させる（例えば通常の１／１０程度に落とす）ように設定されており、これにより登録しようとする受信機８に近づいた状態（例えば受信機８から３ｍ以内の距離）でなければモード切換えや送信機７の新規登録ができないように設定され、近隣にある別のシャッター装置の受信機が信号を受信して意図しない作動をしてしまうのを防ぐように構成されている。
なお、前記コネクト送信する際、例えば受信機８の電源スイッチ１１を操作して電源を再投入する前に、電池９を予め送信機７Ａから取り外しておいてもよいことは言うまでもない。
【００１７】
なお、前記仮登録モードにおいて、登録済みの送信機７Ａから、該送信機７Ａの固有コードＩＤＡと各スイッチＰＢＵ、ＰＢＤ、ＰＢＳの単純押下（例えば、０．２秒以上、２秒以下）に基づく作動コードとが含まれる送信信号（制御信号）を受信した場合（ＳＴＥＰ  ａ１）、受信機８は、まず受信した送信信号に含まれる固有コードＩＤの判別をし、該判別した固有コードＩＤがメモリ８ｂに登録済みの該固有コードＩＤＡであることが確認できた場合には、作動コードを受信していることから仮登録モードを抜けて通常モードへ移行すると共に、該作動コードに応じた作動指令信号を開閉機２の駆動制御部４へ入力して（ＳＴＥＰ１０９）、通常のシャッターカーテン１の駆動（作動）制御を行う（ＳＴＥＰ１１０）。一方、前記固有コードＩＤが登録されていない固有コードＩＤＸであった場合には該送信信号を無効にすることで、登録されていない送信機を用いてシャッターカーテン１の駆動制御が行われることがないように設定されている。
【００１８】
また本実施の形態では、受信機８に設けられている登録スイッチ８ａを単純押下操作することで、仮登録モードを経由することなく、通常モードから直接登録モードに移行することもできるように設定されており（ＳＴＥＰ  ａ２）、これによって、例えばシャッター設置当初の登録済み送信機７が存在しない場合等においては、この方法を用いることで任意の送信機７の登録ができるようになっている。
【００１９】
そして受信機８が前記登録モードになっている状態で、登録したい送信機７Ｂを用いて、停止用操作スイッチＰＢＳを押下（長押し）しながら、該電池９を投入することで、送信機７Ｂは自身が保有する固有コードＩＤＢとモードコードとを含んだ信号を送信信号（登録信号）として受信機８側へ送信（コネクト送信）する（ＳＴＥＰ５）。該登録信号を受信した受信機８は、不揮発性のメモリ８ｂの最後尾に送信されてきた固有コードＩＤＢを登録する（ＳＴＥＰ６）と共に、その旨をブザー音等の報知手段で報知し、「登録モード」を終了して「通常モード」へ移行する（ＳＴＥＰ７）。
【００２０】
さらに、登録したい送信機が複数ある場合は、登録済みの送信機と未登録の送信機を用いて、前記ＳＴＥＰ１〜７を繰り返すことで、複数の送信機を登録することができる。
なお、本実施の形態のメモリ８ｂは送信機を登録することができる最大格納数Ｎが決まっており、これが例えば四つの格納庫から成っているものとすると（Ｎ＝４）、最大四つの送信機を登録することができるように構成されている。また、メモリ８ｂは、ＦＩＦＯ（Ｆｉｒｓｔ  Ｉｎ  Ｆｉｒｓｔ  Ｏｕｔ、先入れ先出し）のデータ構造をとっている。そして、最大格納数（Ｎ＝４）を超える固有コード（本実施の形態では五つめの固有コード）が送信（コネクト送信）されると、最先に登録された固有コードがメモリ８ｂから削除される一方、送信されてきた新しい固有コードがメモリ８ｂの最後尾に登録され、これによって前記最大格納数Ｎの固有コードの登録がなされるように構成されている。
【００２１】
また、受信機８は登録モードにおいて、登録信号として送信されてきた固有コードが既に登録済みの送信機の固有コードであるか否かは判断せず、該送信されてきた固有コードをメモリ８ｂの最後尾に登録する構成となっている。このため、例えば登録済みの送信機７Ａの固有コードＩＤＡが再度送信（コネクト送信）されてきた場合であっても、同様にメモリ８ｂの最後尾に格納されることになって、同じ固有コードＩＤＡを複数回登録することができる。これは、例えば登録済みの送信機として送信機７Ａ、７Ｃがあり、仮に送信機７Ｃを紛失してしまったような場合、送信機７Ａの固有コードＩＤＡを最大格納数である四回登録すれば、メモリ８ｂには固有コードＩＤＡのみが四回登録されている状態となり、結果として送信機７Ｃの固有コードＩＤＣがメモリ８ｂから削除されることになるため、紛失した送信機７Ｃでの開閉制御および固有コードの書き換えができなくなってセキュリティ保持に有効である。
また、受信機８に設けられている登録スイッチ８ａを長押し（例えば、１０秒以上）することで、メモリ８ｂに登録されている全ての固有コードが削除されることになって、メモリ８ｂを初期化できるように設定されている。
【００２２】
さらに登録モードに移行してから所定時間（例えば、５分）経過しても登録する固有コードを受信しない場合、受信機８はメモリ８ｂのデータは更新せずに、通常モードへ移行するように構成されている。また、登録モード中に登録スイッチ８ａが単純押下された場合も、同様に通常モードへ移行するようになっている。
【００２３】
叙述の如く構成されたものでは、送信機７Ｂからの登録信号を受信機８が受信した場合に、該送信機７Ｂに割り当てられた固有コードＩＤＢをメモリ８ｂに登録するように構成するにあたり、送信機７Ｂは、送信機７Ｂの停止用操作スイッチＰＢＳを押下した状態で、送信機７Ｂの電池ボックス７ａに電池を挿入することにより、前記送信機７Ｂに割り当てられた自己の固有コードＩＤＢを含む登録信号を受信機８側へコネクト送信するものであり、受信機８が前記コネクト送信された登録信号を受信して該登録信号に含まれる固有コードＩＤＢをメモリ８ｂの最後尾に登録することとなり、これによって以降、前記送信機７Ｂを用いての電動シャッターのシャッターカーテン１の開閉駆動制御をすることができる。
このように登録したい送信機７Ｂの停止用操作スイッチＰＢＳを押下した状態で、電池ボックス７ａに電池を挿入することで固有コードＩＤＢとモードコードとを含んだ信号を送信信号（登録信号）としてコネクト送信されることになる結果、送信機７Ｂ側において例えばモード切換えスイッチを別途設けて、該モード切換えスイッチを操作したり、送信機７Ｂ側において特定スイッチを所定時間以上長押しする等して固有コード登録モードに切換えるような必要がなく、確実かつ簡単な操作でありながら、送信機７Ｂの固有コードＩＤＢを受信機８側のメモリ８ｂに登録することをユーザが明確に認識し、誤作動することなくできることになる。
【００２４】
さらにこのものは、該受信機８に既に登録されている送信機７Ａの停止用操作スイッチＰＢＳを押下した状態で、電池ボックス７ａに電池を挿入することにより固有コードＩＤＡとモードコードとを含んだ信号を送信信号（モード切換え信号）としてコネクト送信し、受信機８は該モード切換え信号を受信することで登録モードに切換えるように設定されている。
つまり、登録モードに切り換えるためには、既登録された送信機７Ａの停止用操作スイッチＰＢＳを押下した状態で、電池ボックス７ａに電池を挿入する操作をすることで、固有コードＩＤＡとモードコードとを含んだ信号を前記モード切換え信号としてコネクト送信するものであるため、簡単かつ確実な操作でありながら、登録モードに切換えるべく送信機側の特定スイッチを所定時間以上長押しすることで登録モードに切換える場合のように、長押し時間の過不足によりシャッターカーテン１を開閉駆動したいのに登録モードに切換わったり、登録モードに切換えたいのにシャッターカーテンが意図しない開閉駆動をしてしまうようなことがない。
しかも、このように登録済みの送信機７Ａを用いることで登録モードに移行できるように構成されているので、例えば第三者が勝手に他の送信機７Ｘの固有コードＩＤＸをメモリ８ｂに登録できてしまうといった問題を防ぐことができて、防犯性の優れたものとすることができる。
【００２５】
そのうえこのものでは、登録モードに移行する前に、仮登録モードが設けられているが、この仮登録モードへの切換えは、受信機８側において電源を再投入することでなされるため、誤操作や誤作動がないものにできる。この結果、仮登録モードになっていない状態で送信機の電池交換をしたとき、誤って前記コネクト送信をしたとしても固有コードの登録がなされることがない。
【００２６】
尚、本発明は前記第一の実施の形態のものに限定されるものではないことは勿論であって、受信機８のモードとして、メモリ８ｂに登録されている送信機７の登録数を報知する報知モードを備え、例えば、送信機７Ａの所定のスイッチ操作や受信機８の登録ボタン８ａの長押し等によって、該報知モードに移行するように設定することもできる。
【００２７】
さらに、第二の実施の形態のものは、通常モードから登録モードに移行する際に、受信機８の電源スイッチ１１を再投入することなく、登録済みの送信機７Ａから電池９を一旦取り外し、停止用操作スイッチＰＢＳを押下（長押し）した状態で、該電池９を再投入してモード切換え信号（送信信号）をコネクト送信する構成にすることもできる。このようにすることで、モード切換えに送信機７Ａのみを用いる操作性に優れたものでありながら、シャッターカーテン１の誤作動を確実に防ぐことができる。
【００２８】
さらにまた、第三の実施の形態ものは、受信機８のモードの切換をすることなく、登録したい送信機７Ｂのみを用いてコネクト送信することで、直接メモリ８ｂに送信機７Ｂの固有コードＩＤＢを登録するように構成することもでき、このようにすることで、わざわざ登録済みの送信機７Ａを用意する必要がなくて簡単にメモリ８ｂに登録することができる。
【００２９】
また、シャッターカーテン１の開閉作動中に送信機７からコネクト送信されてきた場合、安全のためにシャッターカーテン１の開閉作動を停止する必要があり、受信機８はまず停止指令信号を開閉機２の駆動制御部４へ入力するように構成される。
具体的には、第一の実施の形態のものの場合では、受信機８は送信信号の固有コードＩＤがメモリ８ｂに登録されていることを確認した後、停止指令信号を駆動制御部４へ入力してシャッターカーテン１を停止されるように構成される。第二の実施の形態のものの場合では、受信機８は送信信号の固有コードＩＤがメモリ８ｂに登録されていることを確認した後、停止指令信号を駆動制御部４へ入力してシャッターカーテン１を停止させ、しかる後、登録モードへ移行するように構成される。第三の実施の形態のものの場合では、受信機８は停止指令信号を駆動制御部４へ入力してシャッターカーテン１を停止させた後、送信されてきた固有コードＩＤをメモリ８ｂに登録するように構成される。
このように構成することで、送信機７の登録の際の安全性を高めることができ、誤作動を確実に防ぐことができる。
【００３０】
なお、前記各実施の形態において、停止用操作スイッチＰＢＳを押下しながら電池を電池ボックス７ａに投入することでコネクト送信するように構成されているが、これを、開放用操作スイッチＰＢＵまたは閉鎖用操作スイッチＰＢＤ押下しながら電池を投入することでコネクト送信（モード切換え信号、登録信号を送信）するよう構成してもよい。
【産業上の利用可能性】
【００３１】
本発明は、建物の開口部に取り付けられ、送信機から送信される遠隔操作信号によって開閉作動制御される建築用電動シャッター装置の技術分野に利用することができる。
【符号の説明】
【００３２】
１    シャッターカーテン
７    送信機
７ａ  電池ボックス
８    受信機
８ｂ  メモリ
ＩＤ  固有コード
ＰＢＳ  停止用操作スイッチ
【図１】
2014088692.tif 000003
【図２】
2014088692.tif 000004
【図３】
2014088692.tif 000005
【図４】
2014088692.tif 000006